(57)【特許請求の範囲】
【請求項１】
復号映像信号から同期信号を分離する同期信号分離装置において、
前記復号映像信号と比較基準信号を比較して同期信号を分離するレベル比較回路と、
前記レベル比較回路で分離された同期信号から水平同期信号を分離し、前記復号映像信号の１フィールド周期毎における水平同期信号の欠落の有無を判別する水平同期信号分離／判別回路と、
前記レベル比較回路で分離された同期信号から垂直同期信号を分離し、前記復号映像信号の１フィールド周期毎における垂直同期信号の欠落の有無を判別する垂直同期信号分離／判別回路と、
前記水平同期信号分離／判別回路及び前記垂直同期信号分離／判別回路の判別結果に基づいて、予め設定されている比較基準信号の上限値と下限値の間で比較基準信号のレベル値を１フィールド周期毎に可変させて最適値を決定する比較基準レベルコントロール回路を備え、
前記比較基準レベルコントロール回路は、前記水平同期信号分離／判別回路及び前記垂直同期信号分離／判別回路の双方から同期信号有りの情報を受信すると、前記可変させていた比較基準信号のレベル値をその受信時点におけるレベル値に固定し、その固定されたレベル値の比較基準信号を前記レベル比較回路に入力する
ことを特徴とする同期信号分離装置。
【請求項２】
前記水平同期信号分離／判別回路は、前記復号映像信号の各１フィールド周期毎の所定の期間中の水平同期信号数をカウントし、そのカウント数により各１フィールド周期毎の水平同期信号の欠落の有無を判別し、
前記垂直同期信号分離／判別回路は、前記垂直同期信号の繰り返し周期を検出することにより各１フィールド周期毎の垂直同期信号の欠落の有無を判別する
ことを特徴とする請求項１に記載の同期信号分離装置。
【請求項３】
前記比較基準信号の上限値と下限値は、前記復号映像信号の同期信号部分におけるシンクチップレベル及び波高値に基づいて決定される
ことを特徴とする請求項１に記載の同期信号分離装置。
【請求項４】
復号映像信号から同期信号を分離する同期信号分離方法において、
前記復号映像信号と所定の設定値の比較基準信号を比較して同期信号を分離し、
前記分離された同期信号から水平同期信号を分離し、前記復号映像信号の１フィールド周期毎における水平同期信号の欠落の有無を判別し、
前記分離された同期信号から垂直同期信号を分離し、前記復号映像信号の１フィールド周期毎における垂直同期信号の欠落の有無を判別し、
予め設定されている比較基準信号の上限値と下限値の間で比較基準信号のレベル値を１フィールド周期毎に可変させ、前記水平同期信号及び前記垂直同期信号の双方について同期信号有りの情報が得られると、前記可変させていた比較基準信号のレベル値をその受信時点におけるレベル値に固定し、その固定されたレベル値を比較基準信号の最適な設定値とする
ことを特徴とする同期信号分離方法。
【発明の詳細な説明】
【０００１】
【発明の属する技術分野】
本発明は、映像信号と複合同期信号とが一体化された複合映像信号からこの同期信号を分離する同期分離装置に関する。
【０００２】
【従来の技術】
従来、この映像信号とこの複合同期信号とが一体化された複合映像信号からこの同期信号を分離する同期信号分離装置として図５〜図８に示す如きものが提案されている。尚この複合同期信号は水平同期信号と垂直同期信号とより構成される。
【０００３】
図５は、従来の同期信号分離装置の要部を示したブロック図で、図５において５０は同期信号分離装置全体を示し、同期分離装置５０は複合映像信号入力端子５１、高域周波数遮断型周波数フィルタ（以下の説明ではＬＰＦと称する）５３、クランプ回路部５５、レベル比較回路部５７、固定レベル信号生成部６１及び複合同期信号出力端子５９で構成される。
【０００４】
複合映像信号入力端子５１に図６にＳ１として示した複合映像信号を入力し、複合映像信号Ｓ１を入力端子５１からＬＰＦ５３の入力側に供給し、複合映像信号Ｓ１中の複合同期信号Ｓ１１を複合映像信号Ｓ１から分離するうえで不要なクロマ信号成分及び高域周波数のノイズ信号成分をＬＰＦ５３において除去した複合映像信号Ｓ３を生成し、複合映像信号Ｓ３をクランプ回路５５に供給し複合映像信号Ｓ３のシンクチップレベルを図６に示した所定のシンクチップレベルにクランプして複合映像信号Ｓ３の直流レベル変動を除去した複合映像信号Ｓ７を生成し、複合映像信号Ｓ７をレベル比較回路部５７の一方の信号入力端５７ａに供給する。
【０００５】
そして、固定レベル信号生成部６１から図５にＳ９で示した比較基準レベル信号を生成し、比較基準レベル信号Ｓ９をレベル比較回路部５７の他方の信号入力端５７ｂに供給し、レベル比較回路部５７で複合映像信号Ｓ７と比較基準レベル信号Ｓ９とのレベルの大小を比較し、複合映像信号Ｓ７の内で比較基準レベル信号Ｓ９レベルよりも小さいレベルの部分を分離して、複合同期信号出力端子５９から図６にＳ１１で示した複合同期信号を得る。
【０００６】
尚、比較基準レベル信号Ｓ９は、図６に破線で示した如く複合映像信号Ｓ７から複合同期信号Ｓ１１を分離する為に最適なレベル設定し固定した信号とする。また図６には複合同期信号Ｓ１１として水平同期信号の部分のみ図示したが、この複合同期信号は水平同期信号と垂直同期信号とを複合化した周知の複合同期信号である。これら水平同期信号及び垂直同期信号の夫々を利用する場合は、この複合同期信号から水平同期信号と垂直同期信号を周知の方法で分離して利用する。
【０００７】
図５に示した従来の同期分離装置による同期信号分離は、標準テレビジョン方式の基準に合致した波形の複合同期信号を備えた複合映像信号からこの複合同期信号を分離する場合には問題がない。
【０００８】
しかしながら、アナログ信号の状態で記録／再生を行う方式のビデオテープレコーダを使用し、テープダビング作業を複数回繰り返して制作したビデオテープを信号ソースとして記録したビデオテープから再生した複合映像信号、或いは弱電界地域等の電波状況の悪い地域で受信したテレビジョン放送電波を復調して生成した複合映像信号の場合は、ノイズ信号成分をＬＰＦ５３において除去しても波形歪みが多い乱れた波形の複合映像信号となり、且つシンクチップ部の波高値レベルが変動した複合映像信号となる。
【０００９】
このレベルが変動を除去するためにクランプ回路部５５においてこの複合映像信号のシンクチップ部にクランプを掛けシンクチップレベルをクランプレベルに揃えるようにするが、このシンクチップでクランプの誤動作を防止する必要上クランプ動作速度を遅くしている為、クランプ回路部５５の出力側からは、図７にＳ７Ｎで示した如く複合同期信号のシンクチップレベルの変動が残存した複合映像信号が出力される。
【００１０】
このように複合同期信号のシンクチップレベルの変動が残存した複合映像信号Ｓ７Ｎをレベル比較回路部５７に供給し、このシンクチップレベルの変動が残存した複合映像信号Ｓ７Ｎと比較基準レベル信号Ｓ９とのレベルの大小をレベル比較回路部５７で比較し、比較基準レベル信号Ｓ９レベルよりも小さいレベルの部分をこの信号Ｓ７Ｎから分離して複合同期信号を得るようにした場合は、図７に信号Ｓ１１Ｎとして示したごとく同期信号が欠落した複合同期信号がレベル比較回路部５７から出力される問題がある。
【００１１】
また、図８にＳＬで示した如く複合同期信号の波高値が縮減した映像信号Ｓ１ｓが複合映像信号入力端子５１に入力される場合がある。尚以下の説明では、この縮減をシンクチップ縮みと称する。
【００１２】
このようにシンクチップ縮みを生じている映像信号Ｓ１ｓをレベル比較回路部５７の一方の信号入力端５７ａ供給し、比較基準レベル信号Ｓ９を他の信号入力端５７ｂに供給し、複合映像信号Ｓ１ｓの内で比較基準レベル信号Ｓ９レベルよりも小さいレベルの部分を分離して、レベル比較回路部５７の出力側から複合同期信号を得るようにした場合は、図８に比較基準レベルＳ９で示した如く、比較基準レベル信号Ｓ９のレベルが映像信号Ｓ１ｓレベルとなってしまい、複合同期信号出力端子５９から複合同期信号を得ることができなくなる問題がある。
【００１３】
【発明が解決しようとする課題】
斯る従来の同期信号分離装置では、弱電界地域で受信したテレビ放送の復調ビデオ信号、或いはダビングを重ねたビデオテープから再生したビデオ信号に於ける複合映像信号のシンクチップ部の波高値レベルの変動、或いはシンクチップ縮みの発生は避けることが困難な問題であり、従ってテレビジョン放送信号を弱電界地域で受信し復調した信号をテレビジョン受像機で放映したり、アナログ記録／再生方式でダビングを重ねた記録テープをビデオテープレコーダで再生してモニターで放映した場合は、複合同期信号の欠落による映像再生時の再生画像の乱れを起こす不都合があった。
【００１４】
本発明は斯る点に鑑み、複合映像信号から同期信号を分離する同期信号分離装置の同期信号分離機能の向上を図ることを目的とする。
【００１５】
【課題を解決するための手段】
本発明による復号映像信号から同期信号を分離する同期信号分離装置は、復号映像信号と比較基準信号を比較して同期信号を分離するレベル比較回路と、このレベル比較回路で分離された同期信号から水平同期信号を分離し、復号映像信号の１フィールド周期毎における水平同期信号の欠落の有無を判別する水平同期信号分離／判別回路と、レベル比較回路で分離された同期信号から垂直同期信号を分離し、復号映像信号の１フィールド周期毎における垂直同期信号の欠落の有無を判別する垂直同期信号分離／判別回路と、水平同期信号分離／判別回路及び前記垂直同期信号分離／判別回路の判別結果に基づいて、予め設定されている比較基準信号の上限値と下限値の間で比較基準信号のレベル値を１フィールド周期毎に可変させて最適値を決定する比較基準レベルコントロール回路を備え、この比較基準レベルコントロール回路は、水平同期信号分離／判別回路及び垂直同期信号分離／判別回路の双方から同期信号有りの情報を受信すると、可変させていた比較基準信号のレベル値をその受信時点におけるレベル値に固定し、その固定されたレベル値の比較基準信号をレベル比較回路に入力し、同期信号のレベル変動、波高値の縮小、波形の劣化等の同期信号分離阻害要因の有無に拘わらず同期信号の欠落のない同期信号分離を行う。
【００１６】
また本発明による復号映像信号から同期信号を分離する同期信号分離方法は、復号映像信号と所定の設定値の比較基準信号を比較して同期信号を分離し、この分離された同期信号から水平同期信号を分離し、復号映像信号の１フィールド周期毎における水平同期信号の欠落の有無を判別し、また分離された同期信号から垂直同期信号を分離し、復号映像信号の１フィールド周期毎における垂直同期信号の欠落の有無を判別し、予め設定されている比較基準信号の上限値と下限値の間で比較基準信号のレベル値を１フィールド周期毎に可変させ、水平同期信号及び垂直同期信号の双方について同期信号有りの情報が得られると、可変させていた比較基準信号のレベル値をその受信時点におけるレベル値に固定し、その固定されたレベル値を比較基準信号の最適な設定値とし、同期信号のレベル変動、波高値の縮小、波形の劣化等の同期信号分離阻害要因の有無に拘わらず同期信号の欠落のない同期信号分離を行う。
【００１７】
図１は本発明による同期信号分離装置の要部を示した回路ブロック図である。図１において１は同期分離装置全体を示し、同期分離装置１は水平同期信号分離回路部３、水平同期信号欠落検出回路部５、垂直同期信号分離回路部７、水平同期信号欠落検出回路部９、比較基準レベルコントロール回路１１、複合映像信号入力端子５１、ＬＰＦ５３、クランプ回路部５５、レベル比較回路部５７及び複合同期信号出力端子５９で構成される。
【００１８】
複合映像信号入力端子５１に複合映像信号Ｓ１を入力し、複合映像信号Ｓ１をＬＰＦ５３の入力側に供給し、ＬＰＦ５３において複合映像信号Ｓ１中のこの複合同期信号をこの複合映像信号Ｓ１から分離するうえで不要なクロマ信号成分及び高域周波数のノイズ信号成分をＬＰＦ５３において除去した複合映像信号Ｓ３を生成し、この複合映像信号Ｓ３をクランプ回路５５に供給し複合映像信号Ｓ３のシンクチップレベルを図６に示した所定のシンクチップレベルにクランプして直流レベル変動を除去した複合映像信号Ｓ７を生成し、複合映像信号Ｓ７をレベル比較回路部５７の一方の信号入力端５７ａに供給する。
【００１９】
後に説明する比較基準レベル信号Ｓ９ｂをレベル比較回路部５７の他方の信号入力端５７ｂに供給し、レベル比較回路部５７で複合映像信号Ｓ７と比較基準レベル信号Ｓ９ｂとのレベルの大小を比較し、複合映像信号Ｓ７の内で比較基準レベル信号Ｓ９ｂのレベルよりも小さいレベルの部分を分離して複合同期信号S11 を得、複合同期信号S11 を複合同期信号出力端子５９、水平同期信号分離回路部３及び垂直同期信号分離回路部７に供給する。
【００２０】
水平同期信号分離回路部３において複合同期信号S11 から水平同期信号を分離し、この水平同期信号を水平同期信号分離回路部３から水平同期信号欠落検出回路部５に供給し、垂直同期信号分離回路部７において複合同期信号S11 から垂直同期信号を分離し、この垂直同期信号を垂直同期信号欠落検出回路９に供給する。尚、水平同期信号分離回路部３は周知の構成の水平同期信号分離回路、垂直同期信号分離回路部７は周知の構成の垂直同期信号分離回路である。
【００２１】
複合映像信号の各１フィールド周期毎に所定の期間を定め、この所定の期間中の水平同期信号数を各１フィールド周期毎にカウントするカウンタ（図示せず）で水平同期信号欠落検出回路部５を構成し、このカウンタのカウント数により各１フィールド周期毎の水平同期信号の欠落の有無を検出する。
【００２２】
垂直同期信号分離回路部７から供給した垂直同期信号の繰り返し周期を検出する周知の検出回路で垂直同期信号欠落検出回路９を構成し、この検出回路により垂直同期信号の欠落の有無を検出する。
【００２３】
比較基準レベルコントロール回路１１の動作について図２を参照して説明する。
【００２４】
図２において、水平方向に延長した軸Ｘは時間軸、時間軸Ｘと直交する方向に上に向かって延長した軸Ｙは信号レベル軸を表している。Ｘ軸に直交する方向に一定の間隔を置いて配列されている複数の点線ｙ１は、これらの間隔でこの複合映像信号の１フィールド周期を表し、複数の点線ｙ１下半分の部分に於て複数の点線ｙ１の夫々と直交する方向に間隔ｘ１を置いて配列された２本の１点鎖線ｙ３，ｙ５の内１点鎖線ｙ３は比較基準レベル信号Ｓ９ｂ下限値を示し、１点鎖線ｙ５は比較基準レベル信号Ｓ９ｂ上限値を示している。
【００２５】
尚、これら下限値ｙ３及び状限値ｙ５夫々の値は、図６〜図８に示した複合同期信号の同期信号部分のシンクチップレベル及び波高値データに基づき実験的に定める。
【００２６】
２本の１点鎖線ｙ３，ｙ５の間に於て１点鎖線ｙ３，ｙ５の間を変動している状態として図２に示した階段状の線は、比較基準レベル信号Ｓ９ｂのレベルが変化する状態を表し、この状態から分かるように比較基準レベル信号Ｓ９ｂのレベルは各１フィールド期間の夫々では一定のレベル状態に維持されている。
【００２７】
Ｘ軸に直交する方向に一定の間隔ｘ１を置いて配列されている複数の点線ｙ１のこれら間隔の夫々の下側に於てＸ軸に平行に間隔を置いて配列された２本の○Ｘ線ｙ７及びｙ９の内、○Ｘ線ｙ７は水平同期信号欠落検出回路部５による水平同期信号欠落検出結果を、○Ｘ線ｙ９は垂直同期信号欠落検出回路部７による垂直同期信号欠落検出結果を夫々１フィールド周期で表している。
【００２８】
そして、○Ｘ線ｙ７によりＸが示されている１フィールド期間は水平同期信号が欠落していることを表し、○Ｘ線ｙ７により○示されている１フィールド期間は水平同期信号が欠落していないことを表し、○Ｘ線ｙ９によりＸが示されている１フィールド期間は垂直同期信号が欠落していることを表し、○Ｘ線ｙ９により○が示されている１フィールド期間は垂直同期信号が欠落していないことを表している。
【００２９】
２本の○Ｘ線ｙ７及びｙ９で表されるこれら水平同期信号が欠落の有無情報及び垂直同期信号の有無情報を、比較基準レベルコントロール回路１１に供給する。
【００３０】
水平同期信号欠落検出回路部５による水平同期信号欠落検出結果を表すｙ７が水平同期信号が欠落していることを表すＸ印であり、垂直同期信号欠落検出回路部９による垂直同期信号欠落検出結果を表すｙ９が垂直同期信号が欠落していることを表すＸ印である場合には、基準レベル信号Ｓ９ｂが図２に示す如く基準値レベルの上限値ｙ５と基準値レベルの下限値ｙ３との間をスイープする状態として比較基準レベルコントロール回路１１において生成し、このスイープする状態の基準レベル信号Ｓ９ｂをレベル比較回路部５７の他方の信号入力端５７ｂに供給する。
【００３１】
そして図２に示す如く、基準レベル信号Ｓ９ｂを基準値レベルの上限値ｙ５と基準値レベルの下限値ｙ３との間をスイープする状態で比較基準レベルコントロール回路１１で生成し、この基準レベル信号Ｓ９ｂをレベル比較回路部５７の他方の信号入力端５７ｂに供給しているときに、水平同期信号欠落検出回路部５及び垂直同期信号欠落検出回路部９の双方から、同期信号あり（図２においてｙ３＝○，ｙ５＝○の状態）を示す信号が比較基準レベルコントロール回路１１に供給されると、比較基準レベルコントロール回路１１は、基準レベル信号Ｓ９ｂの信号レベルをこれら同期信号ありの情報が比較基準レベルコントロール回路１１に供給された時のスイープレベルに固定し、この固定されたレベル値の基準レベル信号Ｓ９ｂを他方の信号入力端５７ｂに供給する。
【００３２】
よって図１及び図２に示して説明した同期信号分離装置によれば、図７に示して説明した従来の同期信号分離装置では水平同期信号が分離できない波形状態の水平同期信号の複合映像信号に対して、図３に示したように比較基準レベル信号Ｓ９の信号レベルをこのような波形状態の複合映像信号から全ての水平同期信号を分離する為の最適レベルに設定することができる。
【００３３】
さらにまた図１及び図２に示して説明した同期信号分離装置によれば、図８に示して説明した従来の同期信号分離装置では水平同期信号が分離できないシンク縮み波形状態の複合映像信号Ｓ１ｓであっても、図４に示したように、このような波形状態の複合映像信号から全ての水平同期信号を分離する為の最適レベルに比較基準レベル信号Ｓ９の信号レベルを設定することができる。
【００３４】
【発明の効果】
本発明によれば、複合映像信号から同期信号を分離するときに、この複合映像信号の同期信号部の信号レベルに対して同期信号を分離するレベル値を可変しながら比較し、この同期信号を分離するレベルの最適値を見つけ出して、この最適値の同期信号分離レベル値でこの複合映像信号から同期信号を分離するようにしたので、同期信号のレベル変動、同期信号の波高値の縮小、同期信号の波形の劣化等の同期信号分離阻害要因の有無に拘わらず同期信号の欠落のない同期信号分離を行うことができる。
【図面の簡単な説明】
【図１】本発明の同期信号分離装置の要部を示した回路ブロック図である。
【図２】本発明の同期信号分離装置の動作を示す波形図である。
【図３】本発明の同期信号分離装置の同期信号分離動作を説明する波形図である。
【図４】本発明の同期信号分離装置の同期信号動作分離を説明する他の波形図である。
【図５】従来の同期信号分離装置の要部を示した回路ブロック図である。
【図６】従来の同期信号分離装置の同期信号分離動作を説明する波形図である。
【図７】従来の同期信号分離装置の同期信号分離動作を説明する他の波形図である。
【図８】従来の同期信号分離装置の同期信号分離動作を説明する更に他の波形図である。
【符号の説明】
１‥‥同期分離装置、３‥‥水平同期信号分離回路部、５‥‥水平同期信号欠落検出回路部、７‥‥垂直同期信号分離回路部、９‥‥水平同期信号欠落検出回路部、１１‥‥比較基準レベルコントロール回路部、５１‥‥複合映像信号入力端子、５３‥‥ＬＰＦ、５５‥‥クランプ回路部、５７‥‥レベル比較回路部、５９‥‥複合同期信号出力端子
【図１】
0003755274.tif 000002
【図２】
0003755274.tif 000003
【図３】
0003755274.tif 000004
【図４】
0003755274.tif 000005
【図５】
0003755274.tif 000006
【図６】
0003755274.tif 000007
【図７】
0003755274.tif 000008
【図８】
0003755274.tif 000009